(57)【特許請求の範囲】
【請求項１】
被写体を撮像して電子的な画像データを連続的に生成する撮像部と、
前記撮像部が生成した前記画像データに対応する画像を所定の表示フレームレートで表示する表示部と、
前記画像に対して前記所定の表示フレームで表示可能な第１特殊効果処理または前記所定の表示フレームレートよりも高速な表示フレームレートで表示可能な第２特殊効果処理を行う画像処理部と、
前記画像処理部が行う特殊効果処理を前記第１特殊効果処理から前記第２特殊効果処理に変更を指示する変更指示信号の入力を受け付ける操作入力部と、
前記操作入力部によって前記変更指示信号が入力された場合、前記画像処理部が前記画像に対して行う特殊効果処理を、前記第１特殊効果処理から前記第２特殊効果処理に切換えて実行させる制御部と、
を備え、
前記画像処理部は、
前記第１特殊効果処理を行った前記画像に対して、前記所定の表示フレームレートで表示可能な異なる画像処理を追加する第１特殊補助効果処理、または前記第２特殊効果処理を行った前記画像に対して、前記高速な表示フレームレートで表示可能な異なる画像処理を追加する第２特殊補助効果処理を行い、
前記制御部は、
前記変更指示信号が入力された場合、前記画像処理部が行う特殊補助効果処理を、前記第１特殊補助効果処理から前記第２特殊補助効果処理に切換えて実行させることを特徴する撮像装置。
【請求項２】
前記制御部は、
前記表示部が前記画像を表示している場合において、前記操作入力部によって前記変更指示信号が入力されたとき、前記画像処理部が行う特殊効果処理を前記第１特殊効果処理から前記第２特殊効果処理を切換えて実行させることを特徴とする請求項１に記載の撮像装置。
【請求項３】
前記第２特殊効果処理で行う画像処理に要する時間は、前記第１特殊効果処理で行う画像処理に要する時間より小さいことを特徴とする請求項１または２に記載の撮像装置。
【請求項４】
前記第１特殊効果処理および前記第２特殊効果処理は、複数の画像処理を組み合わせることによって特殊効果を前記画像に生じさせることを特徴とする請求項１〜３のいずれか一つに記載の撮像装置。
【請求項５】
前記第２特殊効果処理は、ホワイトバランス、彩度、色相、コントラストおよび明るさのうち１つ以上のパラメータを変更する画像処理を行うことを特徴とする請求項１〜４のいずれか一つに記載の撮像装置。
【請求項６】
時間を計時するタイマーをさらに備え、
前記制御部は、
前記変更指示信号が入力されたときに、前記タイマーによる時間の計時を開始させて所定時間に到達するまで前記画像処理部が行う特殊効果処理を前記第２特殊効果処理に固定することを特徴とする請求項１〜５のいずれか一つに記載の撮像装置。
【請求項７】
前記操作入力部は、
外部から押圧により進退可能なレリーズスイッチを有し、
前記レリーズスイッチが半押しされた場合に少なくとも前記変更指示信号の入力を受け付ける一方、前記レリーズスイッチが全押しされた場合に少なくとも静止画撮影を指示する指示信号の入力を受け付けることを特徴とする請求項１〜６のいずれか一つに記載の撮像装置。
【請求項８】
前記操作入力部は、
前記撮像部が生成した前記画像データに対応する静止画の表示を前記表示部に指示する指示信号の入力を受け付けるプレビュースイッチを有し、
前記制御部は、当該撮像装置が撮影中に前記プレビュースイッチが操作された場合に前記指示信号を前記変更指示信号として受け付けることを特徴とする請求項１〜６のいずれか一つに記載の撮像装置。
【請求項９】
前記撮像部は、
所定の視野領域から光を集光するとともに、画角を変更することによって光学ズームを行うレンズ部を有し、
前記レンズ部は、
前記レンズ部の画角および／または焦点の変更を指示する指示信号の入力を受け付けるレンズ操作部と、
前記レンズ操作部で入力を受け付けた前記指示信号に基づいて前記レンズ部の動作を制御するレンズ制御部と、
を有し、
前記制御部は、前記レンズ操作部が操作された場合に少なくとも前記指示信号を前記変更指示信号として受け付けることを特徴とする請求項１〜６のいずれか一つに記載の撮像装置。
【請求項１０】
被写体を撮像して該被写体の電子的な画像データを連続的に生成し、該画像データに対応する画像を所定の表示フレームレートで表示可能な撮像装置が行う撮像方法であって、
前記画像に対して前記所定の表示フレームで表示可能な第１特殊効果処理または前記所定の表示フレームレートよりも高速な表示フレームレートで表示可能な第２特殊効果処理を行う画像処理ステップと、
前記画像処理ステップで行う特殊効果処理を前記第１特殊効果処理から前記第２特殊効果処理に変更を指示する変更指示信号の入力を受け付ける入力ステップと、
前記入力ステップによって前記変更指示信号が入力された場合、前記画像処理ステップが前記画像に対して行う前記特殊効果処理として、前記第１特殊効果処理から前記第２特殊効果処理に切換えて実行させる制御ステップと、
を含み、
前記画像処理ステップは、
前記第１特殊効果処理を行った前記画像に対して、前記所定の表示フレームレートで表示可能な異なる画像処理を追加する第１特殊補助効果処理、または前記第２特殊効果処理を行った前記画像に対して、前記高速な表示フレームレートで表示可能な異なる画像処理を追加する第２特殊補助効果処理を行い、
前記制御ステップは、
前記変更指示信号が入力された場合、前記画像処理ステップが行う特殊補助効果処理を、前記第１特殊補助効果処理から前記第２特殊補助効果処理に切換えて実行させることを特徴とする撮像方法。
【請求項１１】
被写体を撮像して該被写体の電子的な画像データを連続的に生成し、該画像データに対応する画像を所定の表示フレームレートで表示可能な撮像装置に、
前記画像に対して前記所定の表示フレームで表示可能な第１特殊効果処理または前記所定の表示フレームレートよりも高速な表示フレームレートで表示可能な第２特殊効果処理を行う画像処理ステップと、
前記画像処理ステップで行う特殊効果処理を前記第１特殊効果処理から前記第２特殊効果処理に変更を指示する変更指示信号の入力を受け付ける入力ステップと、
前記入力ステップによって前記変更指示信号が入力された場合、前記画像処理ステップが前記画像に対して行う前記特殊効果処理として、前記第１特殊効果処理から前記第２特殊効果処理に切換えて実行させる制御ステップと、
を実行させ、
前記画像処理ステップは、
前記第１特殊効果処理を行った前記画像に対して、前記所定の表示フレームレートで表示可能な異なる画像処理を追加する第１特殊補助効果処理、または前記第２特殊効果処理を行った前記画像に対して、前記高速な表示フレームレートで表示可能な異なる画像処理を追加する第２特殊補助効果処理を行い、
前記制御ステップは、
前記変更指示信号が入力された場合、前記画像処理ステップが行う特殊補助効果処理を、前記第１特殊補助効果処理から前記第２特殊補助効果処理に切換えて実行させることを特徴とする撮像プログラム。
【発明の詳細な説明】
【技術分野】
【０００１】
本発明は、被写体を撮像して電子的な画像データを生成する撮像装置、撮像方法および撮像プログラムに関する。
【背景技術】
【０００２】
近年、デジタルカメラやデジタルビデオカメラ等の撮像装置において、被写体を撮像した画像データに特殊効果を施すことによって、消費者の様々な要望に応える技術が知られている。たとえば、被写体を撮像した画像データにワイプやセピア等の特殊効果を施した特殊効果画像データを記録することができる技術が知られている（特許文献１参照）。この技術では、ユーザが特殊効果を選択するエフェクトスイッチを操作している際に選択された特殊効果を施した画像を、表示モニタが表示している画像上の一部に表示させることにより、ユーザの所望の特殊効果を容易に選択させることができるようになっている。
【０００３】
また、レリーズスイッチの状態に応じて、ＣＣＤ等のイメージセンサが連続的に生成する画像データの撮像フレームレートを変更し、イメージセンサが生成した時点の画像データと表示モニタが表示するライブビュー画像との時間差を短くすることにより、ユーザがシャッタチャンスを逃すことを低減した撮像装置が知られている（特許文献２および特許文献３参照）。
【先行技術文献】
【特許文献】
【０００４】
【特許文献１】特開２００５−３４７８８６号公報
【特許文献２】特開２００６−２１７５０５号公報
【特許文献３】特開２００６−１２９０６５号公報
【発明の概要】
【発明が解決しようとする課題】
【０００５】
ところで、従来の撮像装置では、撮像素子が生成した画像データに対して特殊効果を施したライブビュー画像を表示モニタに表示させることにより、特殊効果をユーザに視認させている。
【０００６】
しかしながら、特殊効果の種類によっては画像データに施す処理時間が長くなることで、表示モニタが表示するライブビュー画像の表示フレームレートが遅くなる場合があった。このため、特殊効果が施されたライブビュー画像を見ながら撮影する際に、撮像素子が画像データを生成してからライブビュー画像として表示されるまでにタイムラグが生じてしまい、シャッタチャンスを逃す可能性があった。
【０００７】
本発明は、上記に鑑みてなされたものであって、画像データに特殊効果を施した撮影を行う際に、シャッタチャンスを逃す可能性を低減することができる撮像装置、撮像方法および撮像プログラムを提供することを目的とする。
【課題を解決するための手段】
【０００８】
上述した課題を解決し、目的を達成するために、本発明にかかる撮像装置は、被写体を撮像して電子的な画像データを連続的に生成する撮像部と、前記撮像部が生成した前記画像データに対応する画像を所定の表示フレームレートで表示する表示部と、前記画像に対して前記所定の表示フレームで表示可能な複数の画像処理を組み合わせることによって特殊効果を生じさせる第１特殊効果処理または前記所定の表示フレームレートよりも高速な表示フレームレートで表示可能な複数の画像処理を組み合わせることによって特殊効果を生じさせる第２特殊効果処理を行う画像処理部と、前記画像処理部が行う特殊効果処理における画像処理の組み合わせの変更を指示する変更指示信号の入力を受け付ける操作入力部と、前記操作入力部によって前記変更指示信号が入力された場合、前記画像処理部が前記画像に対して行う特殊効果処理を、前記第１特殊効果処理から前記第２特殊効果処理に切換える制御部と、を備える。
【０００９】
また、本発明にかかる撮像装置は、上記発明において、前記制御部は、前記表示部が前記画像を表示している場合において、前記操作入力部によって前記変更指示信号が入力されたとき、前記画像処理部が行う特殊効果処理を前記第１特殊効果処理から前記第２特殊効果処理を切換える。
【００１０】
また、本発明にかかる撮像装置は、上記発明において、前記第２特殊効果処理で行う画像処理に要する時間は、前記第１特殊効果処理で行う画像処理に要する時間より小さい。
【００１１】
また、本発明にかかる撮像装置は、上記発明において、前記第１特殊効果処理および前記第２特殊効果処理は、複数の画像処理を組み合わせることによって特殊効果を前記画像に生じさせる。
【００１２】
また、本発明にかかる撮像装置は、上記発明において、前記第２特殊効果処理は、ホワイトバランス、彩度、色相、コントラストおよび明るさのうち１つ以上のパラメータを変更する画像処理を行う。
【００１３】
また、本発明にかかる撮像装置は、上記発明において、前記画像処理は、前記第１特殊効果処理または前記第２特殊効果処理を行った前記画像に対して、前記所定の表示フレームレートで表示可能な異なる画像処理を追加する第１特殊補助効果処理または前記高速な表示フレームレートで表示可能な異なる画像処理を追加する第２特殊補助効果処理を行い、前記制御部は、前記変更指示信号が入力された場合、前記画像処理部が行う特殊補助効果処理を、前記第１特殊補助効果処理から前記第２特殊補助効果処理に切換える。
【００１４】
また、本発明にかかる撮像装置は、上記発明において、時間を計時するタイマーをさらに備え、前記制御部は、前記変更指示信号が入力されたときに、前記タイマーによる時間の計時を開始させて所定時間に到達するまで前記画像処理部が行う特殊効果処理を前記第２特殊効果処理に固定する。
【００１５】
また、本発明にかかる撮像装置は、上記発明において、前記操作入力部は、外部から押圧により進退可能なレリーズスイッチを有し、前記レリーズスイッチが半押しされた場合に少なくとも前記変更指示信号の入力を受け付ける一方、前記レリーズスイッチが全押しされた場合に少なくとも静止画撮影を指示する指示信号の入力を受け付ける。
【００１６】
また、本発明にかかる撮像装置は、上記発明において、前記操作入力部は、前記撮像部が生成した前記画像データに対応する静止画の表示を前記表示部に指示する指示信号の入力を受け付けるプレビュースイッチを有し、前記制御部は、当該撮像装置が撮影中に前記プレビュースイッチが操作された場合に前記指示信号を前記変更指示信号として受け付ける。
【００１７】
また、本発明にかかる撮像装置は、上記発明において前記撮像部は、所定の視野領域から光を集光するとともに、画角を変更することによって光学ズームを行うレンズ部を有し、前記レンズ部は、前記レンズ部の画角および／または焦点の変更を指示する指示信号の入力を受け付ける前記レンズ操作部と、前記レンズ操作部で入力を受け付けた前記指示信号に基づいて前記レンズ部の動作を制御するレンズ制御部と、を有し、前記本体部との間で通信可能であり、前記制御部は、少なくとも前記レンズ操作部が操作された場合に前記指示信号を前記変更指示信号として受け付ける。
【００１８】
また、本発明にかかる撮像方法は、被写体を撮像して該被写体の電子的な画像データを連続的に生成し、該画像データに対応する画像を所定の表示フレームレートで表示可能であるとともに、前記画像に複数の画像処理を組み合わせることにより特殊効果を生じさせる複数の特殊効果処理を施すことが可能な撮像装置が行う撮像方法であって、前記特殊効果処理における画像処理の組み合わせの変更を指示する変更指示信号の入力を受け付ける入力工程と、前記入力工程によって前記変更指示信号が入力された場合、前記画像に対して行う前記特殊効果処理として、前記所定の表示フレームレートで表示可能な第１特殊効果処理から前記所定の表示フレームレートよりも高速な表示フレームレートで表示可能な第２特殊効果処理に切換える制御工程と、を含む。
【００１９】
また、本発明にかかる撮像プログラムは、被写体を撮像して該被写体の電子的な画像データを連続的に生成し、該画像データに対応する画像を所定の表示フレームレートで表示可能であるとともに、前記画像に複数の画像処理を組み合わせることにより特殊効果を生じさせる複数の特殊効果処理を施すことが可能な撮像装置に、前記特殊効果処理における画像処理の組み合わせの変更を指示する変更指示信号の入力を受け付ける入力ステップと、前記入力ステップによって前記変更指示信号が入力された場合、前記画像に対して行う前記特殊効果処理として、前記所定の表示フレームレートで表示可能な第１特殊効果処理から前記所定の表示フレームレートよりも高速な表示フレームレートで表示可能な第２特殊効果処理に切換える制御ステップと、を実行させる。
【発明の効果】
【００２０】
本発明によれば、制御部が、操作入力部から画像処理部が行う複数の特殊効果を組み合わせた特殊効果処理の組み合わせの変更を指示する変更指示信号が入力された場合、画像処理部が行う特殊効果処理を第１特殊効果処理から第２特殊効果処理に切換えるので、画像処理部が特殊効果処理を行った画像データを高速な表示フレームレートでライブビュー画像として表示部に表示させることができる。この結果、画像データに特殊効果処理を施す撮影を行う際に、被写体のシャッタチャンスを逃す可能性を低減することができるという効果を奏する。
【図面の簡単な説明】
【００２１】
【図１】図１は、本発明の実施の形態１にかかる撮像装置の撮影者に面する側の構成を示す図である。
【図２】図２は、本発明の実施の形態１にかかる撮像装置の構成を示すブロック図である。
【図３】図３は、本実施の形態１にかかる撮像装置が特殊効果撮影モードに設定されている場合に表示部が表示する特殊効果撮影モードにおける特殊効果処理撮影メニューの画面の一例を示す図である。
【図４】図４は、本実施の形態１にかかる撮像装置が特殊効果撮影モードに設定されている場合に表示部が表示する特殊効果撮影モードにおける特殊効果処理撮影メニューの画面遷移の別の一例を示す図である。
【図５】図５は、ユーザがメニュースイッチを操作した際に表示部が表示する画面遷移の一例を示す図である。
【図６】図６は、本実施の形態１にかかる撮像装置が備える特殊効果処理情報記憶部が記憶する特殊効果処理情報テーブルの一例を示す図である。
【図７】図７は、本実施の形態１にかかる撮像装置が備える特殊補助効果処理情報記憶部が記憶する特殊補助効果処理情報テーブルの一例を示す図である。
【図８】図８は、本実施の形態１にかかる撮像装置が特殊効果撮影モードで行う処理の概要を示すフローチャートである。
【図９】図９は、本実施の形態１にかかる撮像装置が特殊効果撮影モードで行う処理の概要を示すタイムチャートである。
【図１０】図１０は、図８に示す静止画撮像処理の概要を示すフローチャートである。
【図１１】図１１は、本発明の実施の形態２にかかる撮像装置がＰ／Ａ／Ｓ／Ｍモードのいずれかに設定されている場合に表示部が表示するカスタマイズメニュー画面の一例を示す図である。
【図１２】図１２は、本実施の形態２にかかる撮像装置が備える特殊効果処理情報記憶部が記憶する特殊効果処理情報テーブルの一例を示す図である。
【図１３】図１３は、本実施の形態２にかかる撮像装置が備える特殊補助効果処理情報記憶部が記憶する特殊補助効果処理情報テーブルの一例を示す図である
【図１４】図１４は、本実施の形態２にかかる撮像装置がＰ／Ａ／Ｓ／Ｍモードのいずれかで特殊効果撮影モードを行う場合に撮像装置が行う処理の概要を示すフローチャートである。
【図１５】図１５は、本発明の実施の形態３にかかる撮像装置が特殊効果撮影モードで行う処理の概要を示すフローチャートである。
【発明を実施するための形態】
【００２２】
以下、図面を参照して、本発明を実施するための形態（以下、「実施の形態」という）について説明する。なお、以下に説明する実施の形態によって本発明が限定されるものではない。
【００２３】
（実施の形態１）
図１は、本発明の実施の形態１にかかる撮像装置の撮影者に面する側（背面側）の構成を示す斜視図である。図２は、本発明の実施の形態１にかかる撮像装置の構成を示すブロック図である。図１および図２に示す撮像装置１は、デジタル一眼レフカメラであり、本体部２と、本体部２に着脱自在なレンズ部３と、を備える。
【００２４】
図１および図２に示すように、本体部２は、シャッタ１０と、撮像素子１１と、Ａ／Ｄ変換部１２と、メモリ１３と、画像処理部１４と、撮像素子駆動部１５と、シャッタ駆動部１６と、露出処理部１７と、ＡＦ処理部１８と、タイマー１９と、本体通信部２０と、操作入力部２１と、フラッシュ発光部２２と、フラッシュ充電部と、フラッシュ駆動部２４と、表示部２５と、不揮発性メモリ２６と、外部メモリ２７と、外部通信部２８と、電源供給部２９と、電源部３０と、制御部３１と、を備える。
【００２５】
シャッタ１０は、撮像素子１１の状態を露光状態または遮光状態に設定する。シャッタ駆動部１６は、ステッピングモータ等を用いて構成され、レリーズ信号に応じてシャッタ１０を駆動する。
【００２６】
撮像素子１１は、レンズ部３が集光した光を受光して電気信号に変換するＣＣＤ（ＣＣＤ（Charge  Coupled  Device）やＣＭＯＳ（Complementary  Metal  Oxide  Semiconductor）等を用いて構成される。撮像素子駆動部１５は、所定のタイミングで撮像素子１１から画像データ（アナログ信号）をＡ／Ｄ変換部１２に出力させる。
【００２７】
Ａ／Ｄ変換部１２は、撮像素子１１から出力されるアナログ信号に対してＡ／Ｄ変換を行うことによってデジタルの画像データを生成してメモリ１３に出力する。
【００２８】
メモリ１３は、ＳＤＲＡＭ（Synchronous  Dynamic  Random  Access  Memory）を用いて構成される。メモリ１３は、Ａ／Ｄ変換部１２から出力される画像データや撮像装置１の処理中の情報を一時的に記憶する。具体的には、メモリ１３は、撮像素子１１が１フレーム毎に順次出力する画像データを一時的に記憶する。
【００２９】
画像処理部１４は、メモリ１３に記憶された画像データを取得し、取得した画像データに対して各種の画像処理を施してメモリ１３に出力する。具体的には、画像処理部１４は、画像データに対してエッジ強調、色補正およびγ補正等の画像処理を施す。画像処理部１４は、画像データに対して複数の画像処理を組み合わせることにより画像に特殊効果を生じさせる特殊効果処理を行う特殊効果処理部１４１と、特殊効果処理を行った画像データに対して異なる画像処理をさらに追加する特殊補助効果処理を行う特殊補助効果処理部１４２とを有する。特殊効果処理部１４１は、画像データに対して複数の画像処理を組み合わせることにより画像に特殊効果を生じさせる特殊効果処理を行う。この特殊効果処理としては、たとえばトーンカーブ処理、ぼかし処理および画像合成処理を組み合わせた処理を行う。特殊補助効果処理部１４２は、特殊効果処理を行った画像データに対し異なる画像処理を追加する特殊補助効果処理、たとえばホワイトアウト効果処理やシェーディング効果処理等の特殊補助効果を追加する処理を行う。
【００３０】
露出処理部１７は、制御部３１を介してメモリ１３に記憶された画像データに基づいて、静止画撮影や動画撮影を行う際の条件、たとえば絞りの設定値、シャッタ速度等を決定することで撮像装置１の自動露出を行う。
【００３１】
ＡＦ処理部１８は、制御部３１を介してメモリ１３に記憶された画像データに基づいて、撮像装置１の自動焦点（Auto  Focus）調整を行う。たとえば、ＡＦ処理部１８は、画像データのコントラストに基づいて、撮影する被写体像の鮮鋭度が最大となるようにレンズ部３を駆動する。
【００３２】
タイマー１９は、時間を計時する。タイマー１９は、撮影日時の判定機能を有する。タイマー１９は、撮像される画像データに日時データを付加するため、制御部３１に日時データを出力する。
【００３３】
本体通信部２０は、本体部２に装着されたレンズ部３との通信を行うための通信インターフェースである。なお、本体通信部２０は、本体部２に設けられた電源部３０からレンズ部３に電力を供給するようにしてもよい。
【００３４】
操作入力部２１は、撮像装置１の電源状態をオン状態またはオフ状態に切換える電源スイッチ２１１と、撮影の指示を与えるレリーズ信号を入力するレリーズスイッチ２１２と、撮像装置１に設定された各種撮影モード切換えの指示を与える切換信号を入力する撮影モード切換スイッチ２１３と、撮像装置１の各種設定を選択または決定の指示を与える指示信号を入力する操作スイッチ２１４と、撮像装置１に設定された操作メニュー画面の表示の指示を与える指示信号を入力するメニュースイッチ２１５と、撮像した画像データのレックビュー表示の指示を与える指示信号を入力するプレビュースイッチ２１６と、動画撮影の指示を与える動画レリーズ信号を入力する動画スイッチ２１７と、を有する。レリーズスイッチ２１２は、外部から押圧による進退可能であり、半押しされた場合に撮像準備動作を指示するファーストレリーズ信号の入力を受ける一方、全押しされた場合に静止画撮像を指示するセカンドレリーズの入力を受け付ける。操作スイッチ２１４は、メニュー画面等における選択設定を行う上下左右の各方向ボタン２１４ａ〜２１４ｄと、メニュー画面等における各方向ボタン２１４ａ〜２１４ｄによる操作を決定する決定ボタン２１４ｅ（ＯＫボタン）とを有する（図１を参照）。なお、操作スイッチ２１４は、ダイヤルスイッチ等を用いて構成してもよい。
【００３５】
フラッシュ発光部２２は、キセノンランプやＬＥＤ（Light  Emitting  Diode）等を用いて構成される。フラッシュ発光部２２は、撮像装置１が撮像する視野領域へ向けて補助光であるストロボ光を照射する。フラッシュ充電部２３は、電源部３０から電源供給を受けて電圧を昇圧して充電する。フラッシュ駆動部２４は、フラッシュ充電部２３が昇圧した電圧をフラッシュ発光部２２に印加させることにより、フラッシュ発光部２２を駆動する。
【００３６】
表示部２５は、液晶または有機ＥＬ（Electro  Luminescence）等からなる表示パネルを用いて構成される。表示部２５は、撮像素子１１が生成した画像データに対応する画像または画像処理部１４が画像データに対して特殊効果処理を行った画像データに対応する画像を所定の表示フレームレート、たとえば６０ｆｐｓ（Frame  Per  Second）で表示する。表示部２５は、撮像装置１の操作情報や撮影に関する情報を適宜表示する。
【００３７】
不揮発性メモリ２６は、フラッシュメモリを用いて構成される。不揮発性メモリ２６は、撮像装置１を動作させるための各種プログラム、本実施の形態にかかる撮像プログラムおよびプログラムの実行中に使用される各種データやパラメータ等を記憶する。不揮発性メモリ２６は、撮像装置１で実行される各種撮影モードに関する情報を記憶する撮影モード情報記憶部２６１と、画像処理部１４が行う特殊効果処理に関する情報を記憶する特殊効果処理情報記憶部２６２と、画像処理部１４が行う特殊補助効果処理に関する情報を記憶する特殊補助効果処理情報記憶部２６３とを有する。なお、不揮発性メモリ２６は、本体部２に装着可能なレンズ部３の種類に応じたレンズ特性等に関する情報を記憶していてもよい。
【００３８】
外部メモリ２７は、撮像装置１の外部から装着されるメモリカード等の記録媒体を用いて構成される。外部メモリ２７は、記録媒体インターフェース（図示せず）を介して撮像装置１に装着されることで画像データ等の情報を記憶する一方、制御部３１の制御のもと、記憶した各種情報を表示部２５、画像処理部１４および不揮発性メモリ２６に出力する。
【００３９】
外部通信部２８は、通信インターフェースとしての機能を有し、ネットワーク（図示せず）を介してサーバ（図示せず）やパーソナルコンピュータ（図示せず）等の外部処理装置と相互方向に送受信を行う。外部通信部２８は、外部処理装置との間で送受信を行うことにより、撮像装置１の各種プログラム、特殊効果処理情報および特殊補助効果処理情報等に関するデータを取得して制御部３１に出力する。なお、外部通信部２８は、有線または無線ＬＡＮ（Local  Area  Network）等を介してネットワークに接続される。
【００４０】
電源供給部２９は、撮像装置１の各構成部に電源部３０の電力を供給する。電源部３０は、撮像装置１に着脱自在なバッテリを用いて構成される。なお、電源供給部２９は、外部電源（図示せず）から供給される電力を撮像装置１の各構成部に供給するようにしてもよい。
【００４１】
制御部３１は、ＣＰＵ（Central  Processing  Unit）等を用いて構成される。制御部３１は、操作入力部２１からの操作信号や指示信号に応じて不揮発性メモリ２６からプログラムを読み出して実行し、撮像装置１を構成する各部に対する指示やデータの転送等を行って撮像装置１の動作を統括的に制御する。制御部３１は、操作入力部２１によって画像処理部１４が行う特殊効果処理における画像処理の変更を指示する変更指示信号が入力された場合、画像処理部１４が画像データに対して行う特殊効果処理を、表示部２５が所定の表示フレームレートで表示可能な複数の画像処理を組み合わせることにより特殊効果を生じさせる第１特殊効果処理から所定の表示フレームレートよりも高速な表示フレームレートで表示可能な複数の画像処理を組み合わせることにより特殊効果を生じさせる第２特殊効果処理に切換える。たとえば、制御部３１は、画像処理部１４が画像データに対して行う特殊効果処理を、表示フレームレート６０ｆｐｓで表示可能な第１特殊効果処理から表示フレームレート１２０ｆｐｓで表示可能な第２特殊効果処理に切換える。
【００４２】
レンズ部３は、光学系４１と、レンズ駆動部４２と、絞り４３と、絞り駆動部４４と、レンズ操作部４５と、レンズ通信部４６と、レンズ制御部４７と、を備える。
【００４３】
光学系４１は、一または複数のレンズを用いて構成される。光学系４１は、所定の視野領域から光を集光するとともに、画角を変化させる光学ズーム機能を有する。レンズ駆動部４２は、ＤＣモータ等を用いて構成され、光学系４１のレンズを光軸Ｌ上で移動させることにより、光学系４１のピント位置や焦点距離等の変更を行う。
【００４４】
絞り４３は、光学系４１が集光した光の入射量を制限することにより露出の調整を行う。絞り駆動部４４は、ステッピングモータ等を用いて構成され、絞り４３を駆動する。
【００４５】
レンズ操作部４５は、ズーム操作部４５１と、フォーカス操作部４５２とを有する。ズーム操作部４５１は、図１に示すように、レンズ部３のレンズ鏡筒の周囲に設けられるズームリングであり、レンズ部３における光学ズームの操作を開始する操作信号の入力を受け付ける。フォーカス操作部４５２は、図１に示すように、レンズ部３のレンズ鏡筒の周囲に設けられるフォーカスリングであり、レンズ部３におけるピント位置や焦点距離の操作を開始する操作信号の入力を受け付ける。
【００４６】
レンズ通信部４６は、レンズ部３が本体部２に装着された際に本体部２と相互方向に通信を行うための通信インターフェースである。
【００４７】
レンズ制御部４７は、ＣＰＵ（Central  Processing  Unit）等を用いて構成される。レンズ制御部４７は、レンズ操作部４５の操作信号や本体部２からの指示信号に応じてレンズ部３の動作を制御する。具体的には、レンズ制御部４７は、レンズ操作部４５の操作信号に応じてレンズ駆動部４２を駆動させてレンズ部３のピント合わせやズーム変更を行なうとともに、絞り駆動部４４を駆動させて絞り値の変更を行う。なお、レンズ制御部４７は、レンズ部３が本体部２に装着された際に、レンズ部３のピント位置情報、焦点距離情報およびレンズ部３を識別する固有情報等を本体部２に送信するようにしてもよい。
【００４８】
以上の構成を有する撮像装置１で実行される撮像する画像データに対して特殊効果処理を行う特殊効果撮影モード（アートフィルタ撮影モード）の設定方法について説明する。なお、以下の説明においては、特殊効果撮影モードの設定方法のみについて説明するが、撮像装置１は複数の撮影モード、たとえば撮影シーン自動判別撮影モードやマニュアル撮影モードを有する。
【００４９】
まず、ユーザが電源スイッチ２１１を操作することにより、撮像装置１の起動に伴って、制御部３１は、撮像装置１の撮影モードが特殊効果撮影モードに設定されているか否かを判断する。具体的には、制御部３１は、撮影モード切換スイッチ２１３が特殊効果撮影モード（ＡＲＴ）に設定されているか否かを判断する（図１を参照）。撮像装置１の撮影モードが特殊効果撮影モードに設定されていない場合、制御部３１は、他の撮影モードに対応した操作メニュー画面やライブビュー画像を表示部２５に表示させる。これに対して、撮像装置１の撮影モードが特殊効果撮影モードに設定されている場合、制御部３１は、特殊効果撮影モードに対応した特殊効果撮影操作メニュー画面を表示部２５に表示させる。
【００５０】
図３は、撮像装置１が特殊効果撮影モードに設定されている場合に表示部２５が表示する特殊効果撮影モードにおける特殊効果撮影操作メニュー画面遷移の一例を示す図である。図３に示すように、制御部３１は、撮像装置１が特殊効果撮影モードに設定された場合、特殊効果撮影モードにおける特殊効果撮影操作メニュー画面Ｗ１を表示部２５に表示させる（図３（ａ）を参照）。特殊効果撮影操作メニュー画面Ｗ１には、撮像装置１で実行可能な各特殊効果処理に関する情報がアイコンＡ１〜Ａ５として表示されている。
【００５１】
続いて、制御部３１は、ユーザが操作スイッチ２１４の上ボタン２１４ａまたは下ボタン２１４ｂを操作することにより、操作スイッチ２１４から入力される操作信号に応じて表示部２５が表示する特殊効果撮影操作メニュー画面Ｗ１の内容を表示部２５に切換えさせる。具体的には、制御部３１は、操作スイッチ２１４から入力される操作信号に応じて特殊効果撮影操作メニュー画面Ｗ１内に表示されるアイコンＡ１〜Ａ５の色を変更するとともに、選択されたアイコンに対応する特殊効果処理のタイトル、たとえば「ファンタジックフォーカス」、「トイフォト」および「ジェントルセピア」等を表示部２５に表示させる（図３（ａ）→図３（ｂ）→図３（ｃ））。これにより、ユーザは、所望の特殊効果処理を選択することができるとともに、選択した特殊効果処理を直感的に確認することができる。
【００５２】
その後、制御部３１は、ユーザによって操作スイッチ２１４の決定ボタン２１４ｅが操作された際に表示部２５が特殊効果撮影操作メニュー画面Ｗ１で現在表示している特殊効果処理、たとえば「ファンタジックフォーカス」（図３（ａ）を参照）を特殊効果撮影モードの特殊効果処理として撮像装置１に設定する。なお、設定された特殊効果処理に関する情報は、メモリ１３に記憶される。
【００５３】
続いて、制御部３１は、特殊効果撮影操作メニュー画面Ｗ１で選択された特殊効果処理を画像処理部１４が行った画像データに対応するライブビュー画像を表示部２５に表示させる。これにより、ユーザは、撮像した画像データに対して選択した特殊効果処理が施されたライブビュー画像をリアルタイムで見ながら撮影の構図を決定することができる。
【００５４】
図４は、撮像装置１が特殊効果撮影モードに設定されている場合に表示部２５が表示する特殊効果撮影モードにおける特殊効果撮影操作メニュー画面遷移の別の一例を示す図である。
【００５５】
図４に示すように、表示部２５が特殊効果撮影操作メニュー画面Ｗ１を表示しているときに、ユーザが操作スイッチ２１４の右ボタン２１４ｄを操作した場合において、制御部３１は、選択された特殊効果処理の設定内容を変更する設定変更画面Ｗ１１を表示部２５に表示させる（図４（ａ）→図４（ｂ））。設定変更画面Ｗ１１は、撮像装置１に設定された各特殊効果処理の設定内容を変更する画面であり、選択された特殊効果処理の設定内容が異なるアイコンＡ１１〜Ａ１３が表示される。
【００５６】
アイコンＡ１１は、選択された特殊効果処理のオリジナルの設定内容が設定されたアイコンである。アイコンＡ１２およびアイコンＡ１３は、選択された特殊効果処理のオリジナルの設定内容からパラメータが変更、たとえば色合いやコントラストがそれぞれ変更されたパラメータを設定したアイコンである。
【００５７】
続いて、ユーザは、表示部２５が設定変更画面Ｗ１１を表示している状態で操作スイッチ２１４の右ボタン２１４ｄを操作することにより、選択した特殊効果処理の設定内容を変更する。具体的には、ユーザは、右ボタン２１４ｄを操作してアイコンＡ１１〜Ａ１３を選択可能な状態にした後、さらに上ボタン２１４または下ボタン２１４ｂを操作して所望のアイコンを選択し、決定ボタン２１４ｅを操作することで特殊効果処理の設定内容を決定する。
【００５８】
図４（ｂ）に示す状況下で、ユーザが下ボタン２１４ｂを操作した場合、制御部３１は、特殊補助効果追加画面Ｗ２１を表示部２５に表示させる（図４（ｃ））。特殊補助効果追加画面Ｗ２１は、撮像装置１に設定された各特殊効果処理に対して特殊補助効果処理（アートエフェクト）を追加設定する画面であり、選択された特殊効果処理に追加設定可能な特殊補助効果処理に対応するアイコンＡ２１〜Ａ２６が表示される。
【００５９】
アイコンＡ２１は、選択された特殊効果処理に特殊補助効果処理を追加しないアイコンである。アイコンＡ２２は、選択された特殊効果処理に特殊補助効果処理としてホワイトアウト効果を追加するアイコンである。アイコンＡ２３は、選択された特殊効果処理に特殊補助効果処理としてシェーディング効果を追加するアイコンである。アイコンＡ２４は、選択された特殊効果処理に特殊補助効果処理としてスターライト効果を追加するアイコンである。アイコンＡ２５は、選択された特殊効果処理に特殊補助効果処理としてアートフレーム効果を追加するアイコンである。アイコン２６は、選択された特殊効果処理に特殊補助効果処理としてソフトフォーカス効果を追加するアイコンである。
【００６０】
続いて、ユーザは、表示部２５が特殊補助効果追加画面Ｗ２１を表示している状態で操作スイッチ２１４を操作することにより、選択した特殊効果撮影モードに追加する特殊補助効果処理を設定する。具体的には、ユーザは、右ボタン２１４ｄを操作してアイコンＡ２１〜Ａ２６を選択可能な状態にした後、さらに上ボタン２１４ａまたは下ボタン２１４ｂを操作して所望のアイコンを選択し、操作スイッチ２１４の決定ボタン２１４ｅを操作することにより特殊効果撮影モードに追加する特殊補助効果を決定する。
【００６１】
図５は、ユーザがメニュースイッチ２１５を操作した際に表示部２５が表示する画面遷移の一例を示す図である。ユーザがメニュースイッチ２１５を操作した場合、制御部３１は、カスタマイズメニュー画面Ｗ３１を表示部２５に表示させる（図５（ａ））。
【００６２】
続いて、ユーザが操作スイッチ２１４の下ボタン２１４ｂを操作してアートＬＶモードを選択して決定ボタン２１４ｅを操作した場合、制御部３１は、表示部２５が表示するライブビュー画像の表示態様を設定するアートＬＶモード設定メニュー画面Ｗ３２を表示部２５に表示させる（図５（ｂ））。
【００６３】
その後、ユーザが上ボタン２１４ａまたは下ボタン２１４ｂを操作してアートＬＶモードに含まれる複数の表示モードの中から所望の表示モードを選択し（図５（ｃ））、選択モード表示領域Ｒ１に表示される所望の表示モードのタイトルが表示された際にユーザが決定ボタン２１４ｅを操作する。この際、制御部３１は、表示部２５がモード表示領域Ｒ１で現在表示している表示モード、たとえば第２特殊効果処理表示モードを撮像装置１に設定する。さらに、制御部３１は、表示モードに関する補助メッセージを表示部２５に表示させる。これにより、ユーザは、選択する表示モードの内容を直感的に理解することができる。
【００６４】
ここで、第１特殊効果処理表示モードとは、特殊効果撮影モードで画像処理部１４が特殊効果処理を第１特殊効果処理で行った画像データをライブビュー画像として表示部２５に表示させる表示モードである。第２特殊効果処理表示モードとは、特殊効果撮影モードで画像処理部１４が特殊効果処理を第２特殊効果処理で行った画像データをライブビュー画像として表示部２５に表示させる表示モードである。
【００６５】
つぎに、図６および図７を参照して、画像処理部１４が特殊効果撮影モードで実行する特殊効果処理の処理内容について説明する。図６は、特殊効果処理情報記憶部２６２が記憶する特殊効果処理情報テーブルの一例を示す図である。図７は、特殊補助効果処理情報記憶部２６３が記憶する特殊補助効果処理情報テーブルの一例を示す図である。
【００６６】
図６に示すように、特殊効果処理情報テーブルＴ１には、特殊効果撮影モードで画像処理部１４が画像データに対して実行することが可能な特殊効果処理と、各特殊効果処理における第１特殊効果処理および第２特殊効果処理それぞれの画像処理の内容とが記載されている。たとえば、設定された特殊効果撮影モードの特殊効果処理が「Ａｒｔ１」の「ファンタジックフォーカス」の場合、第１特殊効果処理の処理内容として「トーンカーブ処理」、「ぼかし処理」および「合成処理」が記載され、第２特殊効果処理の処理内容として「トーンカーブ処理」および「ぼかし処理」が記載されている。ここで、合成処理とは、特殊効果処理部１４１がトーンカーブ処理を行った画像データと、ぼかし処理を行った画像データとを合成した画像データを生成する画像処理である。
【００６７】
さらに、設定された特殊効果撮影モードの特殊効果処理が「Ａｒｔ４」の「ジオラマ」の場合、第１特殊効果処理の処理内容として「色相・彩度処理」、「コントラスト処理」、「３回ぼかし処理」および「３回合成処理」が記載され、第２特殊効果処理の処理内容として「色相・彩度処理」、「コントラスト処理」、「１回ぼかし処理」および「１回合成処理」が記載されている。ここで、３回ぼかし処理とは、画像処理部１４が色彩・彩度処理後、コントラスト処理を行った画像データに対してぼかし処理を３回行う処理である。また、３回合成処理とは、画像処理部１４がぼかし処理を行うごとに、ぼかし処理前の画像データと、ぼかし処理後の画像データとを合成した画像データを生成する画像処理である。
【００６８】
このように、第２特殊効果処理は、第１特殊効果処理で行う複数の画像処理のうち画像データに対して処理時間が大きい画像処理を間引くことにより、画像データに対して行う特殊効果処理の処理時間を小さくする（たとえば、図６のＡｒｔ１を参照）。さらに、第２特殊効果処理は、第１特殊効果処理で行う複数の画像処理のうち画像データに対して処理時間が大きい画像処理の回数を減らすことにより、画像データに対して行う特殊効果処理の処理時間を小さくする（たとえば、図６のＡｒｔ４を参照）。すなわち、第２特殊効果処理で行う画像処理に要する時間は、第１特殊効果処理で行う画像処理に要する時間より小さい。
【００６９】
つぎに、特殊補助効果処理情報記憶部２６３が記憶する特殊補助効果処理情報テーブルについて説明する。図７に示すように、特殊補助効果処理情報テーブルＴ２には、特殊効果処理に追加可能な特殊補助効果処理と、各特殊補助効果処理における第１特殊補助効果処理および第２特殊補助効果処理それぞれの処理内容とが記載されている。具体的には、特殊効果処理に追加可能な特殊補助効果処理が「Ｅｆｆｅｃｔ１」の「ホワイトアウト効果」の場合、第１特殊補助効果処理の処理内容として「ホワイトアウト処理」が記載され、第２特殊効補助果処理の処理内容として「ホワイトアウト画像合成処理」が記載されている。さらに、特殊効果処理に追加可能な特殊補助効果処理が「Ｅｆｆｅｃｔ３」の「スターライト効果」の場合、第１特殊補助効果処理の処理内容として「輝点検出処理」および「光条描画処理」が記載され、第２特殊補助効果処理の処理内容として特殊補助効果処理を行わない「×」がそれぞれ記載されている。
【００７０】
このように、制御部３１は、画像処理部１４が行う特殊効果処理の処理内容を変更させることで、画像処理部１４が特殊効果処理を行った画像データを表示部２５が表示する所定の表示フレームレート（６０ｆｐｓ）より高速な表示フレームレート（１２０ｆｐｓ）でライブビュー画像を表示させることができる。
【００７１】
以上の段階を経て特殊効果撮影モードで行う特殊効果処理が設定された撮像装置１が行う処理について説明する。図８は、撮像装置１が特殊効果撮影モードで行う処理の概要を示すフォローチャートである。図９は、撮像装置１が特殊効果撮影モードで行う処理の概要を示すタイムチャートである。なお、以下においては、静止画撮像を例に説明するが、動画撮像にも適用することができる。
【００７２】
図８に示すように、まず、制御部３１は、タイマー１９の値を初期化し（ステップＳ１００）、撮像装置１は、被写体の撮像を開始する（ステップＳ１０１）。具体的には、撮像素子１１は、微小な時間間隔で連続的に画像データを生成し、生成した画像データを、Ａ／Ｄ変換部１２を介してメモリ１３に出力する。
【００７３】
続いて、制御部３１は、撮像装置１のアートＬＶモードが第１特殊効果処理表示モードに設定されているか否かを判断する（ステップＳ１０２）。撮像装置１のアートＬＶモードが第１特殊効果処理表示モードに設定されている場合（ステップＳ１０２：Ｙｅｓ）、撮像装置１は後述するステップＳ１０６に移行する。一方、撮像装置１のアートＬＶモードが第１特殊効果処理表示モードに設定されていない場合（ステップＳ１０２：Ｎｏ）、撮像装置１は後述するステップＳ１０３に移行する。
【００７４】
ステップＳ１０３において、制御部３１は、レリーズスイッチ２１２が半押しされることにより、レリーズスイッチ２１２から撮像準備動作を指示するファーストレリーズ信号が入力されたか否かを判断する。レリーズスイッチ２１２からファーストレリーズ信号が入力されていない場合（ステップＳ１０３：Ｎｏ）、制御部３１は、タイマー１９に設定された値を減算し（ステップＳ１０４，タイミングｔ１）、タイマー１９に設定された値が０より大きいか否かを判断する（ステップＳ１０５）。タイマー１９に設定された値が０より大きい場合（ステップＳ１０５：Ｙｅｓ）、撮像装置１は後述するステップＳ１１５に移行する。一方、タイマー１９に設定された値が０より大きくない場合（ステップＳ１０５：Ｎｏ，タイミングｔ１〜ｔ２）、撮像装置１は後述するステップＳ１０６に移行する。
【００７５】
ステップＳ１０６において、制御部３１は、画像処理部１４に第１特殊効果処理を実行させる。この第１特殊効果処理は、画像処理部１４がメモリ１３から画像データを取得し、取得した画像データに対して第１特殊効果処理を行う。具体的には、画像処理部１４は、特殊効果処理情報記憶部２６２が記憶する特殊効果処理情報テーブルＴ１を参照して、設定された特殊効果処理に対応する第１特殊効果処理、たとえば特殊効果処理が「ファンタジックフォーカス」の場合、取得した画像データに対してトーンカーブ処理、ぼかし処理および合成処理を行ってメモリ１３に出力する（図６を参照）。さらに、画像処理部１４は、特殊効果処理に特殊補助効果処理、たとえば「ホワイトアウト効果」が追加設定されている場合（図７を参照）、特殊補助効果処理情報記憶部２６３が記憶する特殊補助効果処理情報テーブルＴ２を参照して、追加設定された特殊補助効果処理に対応する第１特殊補助効果処理を、第１特殊効果処理を行った画像データに対してさらに行う。
【００７６】
続いて、制御部３１は、メモリ１３に記憶された画像データに基づいて、レンズ部３を介して入射する光の光量を測定する測光処理を露出処理部１７に実行させ（ステップＳ１０７）、ＡＦ処理部１８にＡＦ処理を実行させる（ステップＳ１０８）。具体的には、ＡＦ処理部１８は、制御部３１を介してメモリ１３から画像データを取得し、取得した画像データのコントラストに基づいて、レンズ部３のレンズ駆動部４２を駆動することにより、光学系４１のレンズを光軸Ｌ上で移動させて撮像装置１のピント位置を調整する。
【００７７】
続いて、制御部３１は、画像処理部１４が特殊効果処理を行った画像データをメモリ１３から順次読出し、読み出した画像データに対応するライブビュー画像を時系列に沿って表示部２５に表示させる（ステップＳ１０９）。この際、撮像装置１は、画像処理部１４による第１特殊効果処理の処理時間が大きくなり、表示部２５が所定の表示フレームレート（Ｄａ）、たとえば６０ｆｐｓになるため、顔ＡＦ（目ＡＦ）およびトラッキングＡＦを実施することができるが困難を極める（たとえば図９に示すタイミングｔ１〜ｔ２またはｔ４〜ｔ５を参照）。
【００７８】
その後、セカンドレリーズ信号が入力されていない場合（ステップＳ１１０：Ｎｏ）、撮像装置１はステップＳ１０１に戻る。一方、セカンドレリーズ信号が入力された場合（ステップＳ１１０：Ｙｅｓ）、撮像装置１は、撮像素子１１が出力する画像データを外部メモリ２７に取り込む静止画撮像処理を実行する（ステップＳ１１１）。
【００７９】
続いて、制御部３１は、タイマー１９に設定した値を初期化し（ステップＳ１１２）、制御部３１は、特殊効果撮影モードの終了操作が行われたか否かを判断する（ステップＳ１１３）。たとえば、制御部３１は、撮影モード切換スイッチ２１３が操作されることにより、撮影モード切換スイッチ２１３から撮像装置１を他の撮影モード、たとえば再生モード等の切換えを指示する切換信号が入力されたか否かを判断する。特殊効果撮影モードの終了操作が行われていない場合（ステップＳ１１３：Ｎｏ）、撮像装置１はステップＳ１０１に戻る。一方、特殊効果撮影モードの終了操作が行われた場合（ステップＳ１１３：Ｙｅｓ）、撮像装置１は本処理を終了する。
【００８０】
ステップＳ１０３において、ファーストレリーズ信号が入力された場合（ステップＳ１０３：Ｙｅｓ，タイミングｔ２）について説明する。この場合、制御部３１は、タイマー１９の値を設定する（ステップＳ１１４）。具体的には、制御部３１は、撮影準備動作を解除させる時間を示す値を１００にしてタイマー１９に設定する。
【００８１】
続いて、制御部３１は、画像処理部１４に第２特殊効果処理を実行させる（ステップＳ１１５）。この第２特殊効果処理は、画像処理部１４がメモリ１３から画像データを取得し、取得した画像データに対して第２特殊効果処理を行う。具体的には、画像処理部１４は、特殊効果処理情報記憶部２６２が記憶する特殊効果処理情報テーブルＴ１を参照して、設定された特殊効果処理に対応する第２特殊効果処理、たとえば設定された特殊効果処理が「ファンタジックフォーカス」の場合、画像データに対してトーンカーブ処理およびぼかし処理を行ってメモリ１３に出力する（図６を参照）。さらに、画像処理部１４は、特殊効果処理に特殊補助効果処理が追加設定、たとえば「ホワイトアウト効果」が追加設定されている場合（図７を参照）、特殊補助効果処理情報記憶部２６３が記憶する特殊補助効果処理情報テーブルＴ２を参照して、追加設定された特殊補助効果処理に対応する第２特殊補助効果処理を、第２特殊効果処理を行った画像データに対してさらに行う。
【００８２】
その後、撮像装置１は、セカンドレリーズ信号が入力されるまで上述したステップＳ１０１〜ステップＳ１０９を繰り返す。この際、撮像装置１は、画像処理部１４による第２特殊効果処理の処理時間が小さくなり、表示部２５が所定の表示フレームレート（Ｄａ）より高速な表示フレームレート（Ｄｂ）、たとえば１２０ｆｐｓになるため、顔ＡＦ（目ＡＦ）およびトラッキングＡＦを容易に実施することができる（たとえばタイミングｔ２〜ｔ４またはタイミングｔ５〜ｔ６（図９を参照））。このため、ユーザは、通常の撮影モードで表示部２５が表示する表示フレームレート（１２０ｆｐｓ）で画像処理部１４が特殊効果処理を行った画像データに対応するライブビュー画像を見ながら撮影の構図を選択することができる。さらに、ユーザは、撮影を補助する顔ＡＦ、目ＡＦおよびトラッキング等のＡＦ処理を用いて撮影することができ、被写体のシャッタチャンスを逃す可能性を低減することができる。
【００８３】
つぎに、図８および図９に示した静止画撮像処理について説明する。図１０は、図８に示す静止画撮像処理（ステップＳ１１１）の概要を示すフローチャートである。
【００８４】
図１０に示すように、まず、制御部３１は、露出処理部１７に露出処理を実行させる（ステップＳ２０１）。具体的には、露出処理部１７は、制御部３１を介してメモリ１３に記憶された画像データに基づいて、レンズ駆動部４２および絞り駆動部４４を駆動させ静止画撮影時における撮像装置１の露出を調整する。
【００８５】
続いて、制御部３１は、撮像した画像データを確認するレックビュー表示モードが設定されているか否かを判断する（ステップＳ２０２）。レックビュー表示モードが設定されていない場合（ステップＳ２０２：Ｎｏ）、撮像装置１は後述するステップＳ２０９に移行する。
【００８６】
これに対して、レックビュー表示モードが設定されている場合（ステップＳ２０２：Ｙｅｓ）、制御部３１は、画像処理部１４が第２特殊効果処理を行った画像データに対応する撮像画像のレックビュー表示を表示部２５に表示させ（ステップＳ２０３，タイミングｔ７〜ｔ８（図９を参照））、制御部３１は、画像処理部１４に第１特殊効果処理を開始させる（ステップＳ２０４）。具体的には、画像処理部１４は、撮像装置１の露出調整後に撮像素子１１が生成した画像データをメモリ１３から取得し、取得した画像データに対して第１特殊効果処理を行う。
【００８７】
続いて、制御部３１は、画像データに対して画像処理部１４による第１特殊効果処理が終了したか否かを判断する（ステップＳ２０５）。画像処理部１４による第１特殊効果処理が終了していない場合（ステップＳ２０５：Ｎｏ）、この判断を繰り返す。一方、画像処理部１４による第１特殊効果処理が終了した場合（ステップＳ２０５：Ｙｅｓ）、制御部３１は、画像処理部１４が撮像した画像データに対して第１特殊効果処理を行った撮像画像データに対応する撮像画像のレックビュー表示を表示部２５に表示させる（ステップＳ２０６，タイミングｔ８〜ｔ９（図９を参照））。
【００８８】
その後、制御部３１は、画像処理部１４が撮像した画像データに対して第１特殊効果処理を行った撮像画像データを外部メモリ２７に記憶させる（ステップＳ２０７）。なお、制御部３１は、撮像画像データを外部メモリ２７に記憶させる場合、画像処理部１４に撮像画像データの圧縮処理、たとえばＪＰＥＧ処理やＲＡＷ処理を行わせることにより、外部メモリ２７に記憶させる。
【００８９】
続いて、ファーストレリーズ信号の入力がない場合またはレックビュー表示時間が所定時間、たとえば５秒経過していない場合（ステップＳ２０８：Ｎｏ）、制御部３１はこの判断を繰り返す。一方、ファーストレリーズ信号の入力がある場合またはレックビュー表示時間が所定時間経過した場合（ステップＳ２０８：Ｙｅｓ）、撮像装置１は図８に示すメインルーチンに戻る。
【００９０】
ステップＳ２０２において、レックビュー表示モードが設定されていない場合（ステップＳ２０２：Ｎｏ）について説明する。この場合、制御部３１は、画像処理部１４に第１特殊効果処理を開始させ（ステップＳ２０９）、画像データに対して画像処理部１４による第１特殊効果処理が終了したか否かを判断する（ステップＳ２１０）。画像処理部１４による第１特殊効果処理が終了していない場合（ステップＳ２１０：Ｎｏ）、この判断を繰り返す。一方、画像処理部１４による第１特殊効果処理が終了した場合（ステップＳ２１０：Ｙｅｓ）、画像処理部１４が撮像した画像データに対して第１特殊効果処理を行った撮像画像データを外部メモリ２７に記憶させ（ステップＳ２１１）、撮像装置１は図８に示すメインルーチンに戻る。
【００９１】
以上説明した本実施の形態１によれば、制御部３１が、レリーズスイッチ２１２からファーストレリーズ信号が入力された場合、画像処理部１４が行う特殊効果処理を第１特殊効果処理から第２特殊効果処理に切換えるので、画像処理部１４が特殊効果処理を行った画像データを所定の表示フレームレートより高速な表示フレームレートでライブビュー画像として表示部２５に表示させることができる。この結果、撮像装置１は、特殊効果撮影モードで撮影を行う際においても、被写体のシャッタチャンスを逃す可能性を低減することができる。
【００９２】
さらに、本実施の形態１によれば、画像処理部１４が特殊効果処理を行った画像データを所定の表示フレームレートより高速な表示フレームレートでライブビュー画像として表示することができるので、顔ＡＦやトラッキングＡＦを離散させることなく安定的に行うことができるとともに、表示部２５が表示する顔ＡＦ枠やトラッキングＡＦ枠を離散させることなく連続的に表示することができる。
【００９３】
また、本実施の形態１によれば、表示部２５が表示するライブビュー画像が滑らかになるため、動きのある被写体を追従しながら撮影の構図を容易に決定することができる。
【００９４】
また、本実施の形態１によれば、表示部２５にレックビュー表示させる際に、画像処理部１４が第２特殊効果処理を行った撮像画像を表示部２５に先に表示させた後に、処理時間が大きい第１特殊効果処理による撮像画像に差し替える。この結果、ユーザに待機時間を生じさせることなく、画像処理部１４が特殊効果処理を施した撮像画像を確認させることができる。
【００９５】
（実施の形態２）
つぎに、本発明の実施の形態２について説明する。上述した実施の形態１では、撮像装置１が特殊効果撮影モードに設定されている場合ついて説明したが、本発明の実施の形態２では、撮像装置１がユーザによるマニュアル詳細設定が可能なＰ／Ａ／Ｓ／Ｍモードで特殊効果処理を行う場合について説明する。なお、本発明の実施の形態２にかかる撮像装置は上述した撮像装置１と同様の構成を有するため説明を省略する。
【００９６】
まず、ユーザが電源スイッチ２１１を操作することにより、撮像装置１の起動に伴って、制御部３１は、撮像装置１の撮影モードがＰ／Ａ／Ｓ／Ｍモードのいずれかに設定されているか否かを判断する。具体的には、制御部３１は、撮影モード切換スイッチ２１３がＰ／Ａ／Ｓ／Ｍモードのいずれかに設定されているか否かを判断する（図１を参照）。撮像装置１の撮影モードがＰ／Ａ／Ｓ／Ｍモードのいずれかに設定されている場合、制御部３１は、Ｐ／Ａ／Ｓ／Ｍモードに対応するライブビュー画像を表示部２５に表示させる。
【００９７】
ここで、Ｐ／Ａ／Ｓ／Ｍモードとは、プログラム撮影モード、絞り優先撮影モード、シャッタ優先撮影モードおよびマニュアル撮影モードである。具体的には、プログラム撮影モードとは、撮像装置１が絞り値とシャッタ速度とを自動的に設定するモードである。絞り優先撮影モードとは、ユーザが絞り値を設定し、撮像装置１がシャッタ速度を自動的に設定するモードである。シャッタ優先撮影モードとは、ユーザがシャッタ速度を設定し、撮像装置１が絞り値を自動的に設定するモードである。マニュアル撮影モードとは、ユーザが絞り値とシャッタ速度とを設定するモードである。
【００９８】
続いて、表示部２５がライブビュー画像を表示している場合において、ユーザがメニュースイッチ２１５を操作したとき、制御部３１は、カスタマイズメニュー画面を表示部２５に表示させる。
【００９９】
図１１は、撮像装置１がＰ／Ａ／Ｓ／Ｍモードのいずれかに設定されている場合に表示部２５が表示するカスタマイズメニュー画面の一例を示す図である。図１１に示すように、制御部３１は、撮像装置１がＰ／Ａ／Ｓ／Ｍモードのいずれかに設定された場合、カスタマイズメニュー画面Ｗ４１を表示部２５に表示させる（図１１（ａ））。カスタマイズメニュー画面Ｗ４１は、撮像装置１に設定された各種設定、たとえば画質モードやピクチャーモードの設定内容を変更する画面である。
【０１００】
続いて、ユーザが操作スイッチ２１４の下ボタン２１４ｂを操作することにより、ピクチャーモードを選択して決定ボタン２１４ｅを押下した場合、制御部３１は、仕上がりモードの内容を設定する仕上がりモード設定画面Ｗ４２を表示部２５に表示させる（図１１（ａ）→図１１（ｂ））。仕上がりモード設定画面Ｗ４２は、撮影目的や被写体に応じて最良の結果が得られるように、色調、彩度、色相、コントラストおよび明るさ等のパラメータが各撮影シーンに対応した画像処理が設定された複数の仕上がりモードから選択する画面である。さらに、仕上がりモード設定画面Ｗ４２は、選択された仕上がりモードの補助メッセージが表示される。
【０１０１】
続いて、表示部２５が仕上がりモード設定画面Ｗ４２を表示しているときに、ユーザが操作スイッチ２１４の下ボタン２１４ｂを操作した場合において、制御部３１は、次の仕上がりモード設定画面Ｗ４３を表示部２５に表示させる（図１１（ｂ）→図１１（ｃ））。なお、表示部２５が表示する仕上がりモード設定画面Ｗ４２と仕上がりモード設定画面Ｗ４３との間には、複数の仕上がりモード設定画面が存在し、ユーザによる操作スイッチ２１４の下ボタン２１４ｂに応じて仕上がりモード設定画面が切換えられる。
【０１０２】
表示部２５が仕上がりモード設定画面Ｗ４３を表示後、ユーザが操作スイッチ２１４の下ボタン２１４ｂを操作した場合、制御部３１は、特殊効果撮影モード設定画面Ｗ４４を表示部２５に表示させる（図１１（ｃ）→図１１（ｄ））。特殊効果撮影モード設定画面Ｗ４４は、撮像する画像データに対して特殊効果処理や特殊補助効果処理を選択する画面である。さらに、表示部２５が特殊効果撮影モード設定画面Ｗ４４を表示しているときに、ユーザが操作スイッチ２１４の下ボタン２１４ｂを操作した場合において、制御部３１は、次の特殊効果撮影モード設定画面Ｗ４５を表示部２５に表示させる（図１１（ｄ）→図１１（ｅ））。なお、表示部２５が表示する特殊効果撮影モード設定画面Ｗ４４と特殊効果撮影モード設定画面Ｗ４５との間には、複数の特殊効果撮影モード設定画面が存在し、ユーザによる操作スイッチ２１４の下ボタン２１４ｂに応じて特殊効果撮影モード設定画面が切換えられる。
【０１０３】
ここで、図１２および図１３を参照して、撮像装置１がＰ／Ａ／Ｓ／Ｍモードのいずれかで特殊効果撮影モードが設定された場合に画像処理部１４が実行する特殊効果処理の処理内容について説明する。図１２は、特殊効果処理情報記憶部２６２が記憶する特殊効果処理情報テーブルの一例を示す図である。図１３は、特殊補助効果処理情報記憶部２６３が記憶する特殊補助効果処理情報テーブルの一例を示す図である。
【０１０４】
図１２に示すように、特殊効果処理情報テーブルＴ３には、特殊効果撮影モードで画像処理部１４が画像データに対して実行することが可能な特殊効果処理と、各特殊効果処理における第１特殊効果処理および第２特殊効果処理それぞれの画像処理内容とが記載されている。本実施の形態２では、画像処理部１４が行う第２画像処理の処理内容として特殊効果処理に近似する仕上がりモードの処理内容が第２特殊効果処理として記載されている。具体的には、特殊効果撮影モードの特殊効果処理が「Ａｒｔ１」の「ファンタジックフォーカス」の場合、第２特殊効果処理の処理内容として「ＮＡＴＵＲＡＬ」が記載されている。さらに、図１３に示すように、特殊効果補助処理情報テーブルT４には、画像処理部１４が行う第２画像処理の処理内容として特殊効果補助効果を行わない「×」がそれぞれ記載されている。
【０１０５】
すなわち、画像処理部１４が行う第２特殊効果処理は、画像データに対して複数の画像処理を組み合わせた特殊効果処理を行わず、少なくとも色調やコントラスト等のパラメータを１つ以上変更する仕上がりモードに対応する画像処理を実行し、画像処理の処理時間を小さくする。これにより、画像処理部１４が行った画像データを所定の表示フレームレートより高速な表示フレームレートでライブビュー画像を表示部２５に表示させることができる。さらに、ユーザに違和感を生じさせることなく、撮像した画像データに対して特殊効果に近似した画像処理を施したライブビュー画像を表示部２５に表示させることができる。
【０１０６】
以上の段階を経てＰ／Ａ／Ｓ／Ｍモードいずれかで特殊効果撮影モードが設定された場合に撮像装置１が行う処理について説明する。図１４は、撮像装置１がＰ／Ａ／Ｓ／Ｍモードのいずれかで特殊効果撮影モードを行う場合に撮像装置１が行う処理の概要を示すフローチャートである。なお、以下においては、静止画撮像を例に説明するが、動画撮像にも適用することができる。
【０１０７】
図１４に示すように、まず、制御部３１は、メモリ１３に設定されたプレビュースイッチ２１６が操作されたこを示すフラグを初期化し（ステップＳ３００）、撮像装置１は、被写体の撮像を開始する（ステップＳ３０１）。具体的には、撮像素子１１は、微小な時間間隔で連続的に画像データを生成し、生成した画像データを、Ａ／Ｄ変換部１２を介してメモリ１３に出力する。
【０１０８】
続いて、制御部３１は、プレビュースイッチ２１６が操作されることにより、プレビュースイッチ２１６から画像処理部１４の特殊効果処理の内容を変更する変更指示信号が入力されたか否かを判断する（ステップＳ３０２）。プレビュースイッチ２１６が操作されていない場合（ステップＳ３０２：Ｎｏ）、撮像装置１は後述するステップＳ３０６に移行する。一方、プレビュースイッチ２１６が操作された場合（ステップＳ３０２：Ｙｅｓ）、制御部３１は、プレビュースイッチ２１６が操作されたこを示すフラグがメモリ１３に設定されているか否かを判断する（ステップＳ３０３）。フラグがメモリ１３に設定されている場合（ステップＳ３０３：Ｙｅｓ）、制御部３１は、メモリ１３に設定されたフラグを解除し（ステップＳ３０４）、撮像装置１は後述するステップＳ３０６に移行する。一方、フラグがメモリ１３に設定されていない場合（ステップＳ３０３：Ｎｏ）、制御部３１は、メモリ１３にフラグを設定し（ステップＳ３０５）、撮像装置１は後述するステップＳ３０６に移行する。
【０１０９】
その後、制御部３１は、メモリ１３にフラグが設定されているか否かを判断する（ステップＳ３０６）。メモリ１３にフラグが設定されていない場合（ステップＳ３０６：Ｎｏ）、制御部３１は、画像処理部１４に第１特殊効果処理を実行させる（ステップＳ３０７）。具体的には、画像処理部１４は、メモリ１３から画像データを取得し、取得した画像データに対して、特殊効果処理情報記憶部２６２が記憶する特殊効果処理情報テーブルＴ３を参照して設定された特殊効果処理に対応する第１特殊効果処理を行ってメモリ１３に出力する。さらに、画像処理部１４は、特殊効果処理に特殊補助効果処理が追加設定されている場合、特殊補助効果処理情報記憶部２６３が記憶する特殊補助効果処理情報テーブルＴ４を参照して、追加設定された特殊補助効果処理に対応する第１特殊補助効果処理を、第１特殊効果処理を行った画像データに対して行う。
【０１１０】
ステップＳ３０６において、メモリ１３内にフラグが設定されている場合（ステップＳ３０６：Ｙｅｓ）について説明する。この場合、制御部３１は、画像処理部１４に特殊効果処理の第２特殊効果処理を実行させる（ステップＳ３０８）。具体的には、画像処理部１４は、メモリ１３から画像データを取得し、取得した画像データに対して、特殊効果処理情報記憶部２６２が記憶する特殊効果処理情報テーブルＴ３を参照して設定された特殊効果処理に対応する第２特殊効果処理を行ってメモリ１３に出力する。たとえば、画像処理部１４は、設定された特殊効果処理が「ファンタジックフォーカス」の場合に、画像データに対して第２特殊効果として仕上がりモードの「ＮＡＴＵＲＡＬ」を行う（図１２を参照）。さらに、画像処理部１４は、特殊効果処理に特殊補助効果処理が追加設定されている場合、特殊補助効果処理情報記憶部２６３が記憶する特殊補助効果処理情報テーブルＴ４を参照して、追加設定された特殊補助効果処理に対応する第２特殊補助効果処理を、第２特殊効果処理を行った画像データに対して行う。
【０１１１】
ステップＳ３０９において、制御部３１は、画像処理部１４が特殊効果処理を行った画像データをメモリ１３から順次読出し、読み出した画像データに対応するライブビュー画像を時系列に沿って表示部２５に表示させる（ステップＳ３０９）。
【０１１２】
続いて、制御部３１は、レリーズスイッチ２１２が半押しされることにより、レリーズスイッチ２１２からファーストレリーズ信号が入力されたか否かを判断する（ステップＳ３１０）。ファーストレリーズ信号が入力されていない場合（ステップＳ３１０：Ｎｏ）、撮像装置１は後述するステップＳ３１３に移行する。一方、ファーストレリーズ信号が入力された場合（ステップＳ３１０：Ｙｅｓ）、制御部３１は、メモリ１３に記憶された画像データに基づいて、レンズ部３を介して入射する光の光量を測定する測光処理を露出処理部１７に実行させ（ステップＳ３１１）、制御部３１は、ＡＦ処理部１８にＡＦ処理を実行させる（ステップＳ３１２）。
【０１１３】
その後、セカンドレリーズ信号が入力されていない場合（ステップＳ３１３：Ｎｏ）、撮像装置１はステップＳ３０１に戻る。一方、セカンドレリーズ信号が入力された場合（ステップＳ３１３：Ｙｅｓ）、撮像装置１は、実施の形態１で上述した撮像素子１１が出力する画像データを外部メモリ２７に取り込みを行う静止画撮像処理（図１０を参照）を実行する（ステップＳ３１４）。
【０１１４】
続いて、制御部３１は、メモリ１３に設定されたフラグを解除し（ステップＳ３１５）、制御部３１は、特殊効果撮影モードの終了操作が行われたか否かを判断する（ステップＳ３１６）。特殊効果撮影モードの終了操作が行われていない場合（ステップＳ３１６：Ｎｏ）、撮像装置１はステップＳ３０１に戻る。一方、特殊効果撮影モードの終了操作が行われた場合（ステップＳ３１６：Ｙｅｓ）、撮像装置１は本処理を終了する。
【０１１５】
以上説明した本実施の形態２では、制御部３１がプレビュースイッチ２１６の操作内容に応じて、画像処理部１４が行う特殊効果処理を第１特殊効果処理から第２特殊効果処理に切換えるの。この結果、上述した実施の形態１と同様に、被写体のシャッタチャンスを逃す可能性を低減することができるうえ、ＡＦ処理部１８による顔ＡＦやトラッキングＡＦを容易に行うことができる。さらに、表示部２５が表示する顔ＡＦ枠やトラッキングＡＦ枠を離散させることなく連続的に表示することがでるうえ、表示部２５が表示するライブビュー画像が滑らかになるため、動きのある被写体を追従しながら撮影の構図を容易に決定することができる。
【０１１６】
さらにまた、本実施の形態２では、画像処理部１４が画像データに対して第２特殊効果処理を行う場合、特殊効果処理の画像処理に換えて、設定された特殊効果処理に近似する仕上がりモードの画像処理を行うので、画像データに対して行う画像処理の処理時間をより小さくすることができるうえ、ユーザに違和感を生じさせることなく選択した特殊効果に近似したライブビュー画像を表示することができる。
【０１１７】
（実施の形態３）
つぎに、本発明の実施の形態３について説明する。上述した実施の形態１では、レリーズスイッチ２１２によって画像処理部１４による特殊効果処理を切換えていたが、本発明の実施の形態３では、レンズ部３のレンズ操作部４５の操作内容によって画像処理部１４による特殊効果処理を切換える。なお、本発明の実施の形態３にかかる撮像装置１は上述した実施の形態１と同様の構成を有するため説明を省略する。
【０１１８】
図１５は、撮像装置１が特殊効果撮影モードで行う処理の概要を示すフローチャートである。なお、以下においては、静止画撮影を例に説明するが、動画撮影にも適用することができる。
【０１１９】
図１５に示すように、まず、制御部３１は、タイマー１９の値を初期化し（ステップＳ４００）、撮像装置１は、被写体の撮像を開始する（ステップＳ４０１）。具体的には、撮像素子１１は、微小な時間間隔で連続的に画像データを生成し、生成した画像データを、Ａ／Ｄ変換部１２を介してメモリ１３に出力する。
【０１２０】
続いて、制御部３１は、レンズ操作部４５のズーム操作部４５１が操作されたか否かを判断する（ステップＳ４０２）。レンズ操作部４５のズーム操作部４５１が操作されていない場合（ステップＳ４０２：Ｎｏ）、制御部３１は、タイマー１９に設定された値を減算し（ステップＳ４０３）、タイマー１９に設定された値が０より大きくない場合（ステップＳ４０４：Ｎｏ）、撮像装置１はステップＳ４０５に移行する。
【０１２１】
その後、制御部３１は、設定された特殊効果処理に対応する第１特殊効果処理を画像処理部１４に実行させる（ステップＳ４０５）。この第１特殊効果処理は、上述した実施の形態１と同様のため、説明を省略する。
【０１２２】
画像処理部１４による特殊効果処理の後、制御部３１は、画像処理部１４が特殊効果処理を行った画像データをメモリ１３から順次読出し、読み出した画像データに対応するライブビュー画像を時系列に沿って表示部２５に表示させる（ステップＳ４０６）。
【０１２３】
続いて、ファーストレリーズ信号が入力されていない場合（ステップＳ４０７：Ｎｏ）、撮像装置１はステップＳ４０１に戻る。一方、ファーストレリーズ信号が入力された場合（ステップＳ４０７：Ｙｅｓ）、制御部３１は、露出処理部１７に測光処理を実行させ（ステップＳ４０８）、ＡＦ処理部１８にＡＦ処理を実行させる（ステップＳ４０９）。
【０１２４】
その後、セカンドレリーズ信号が入力されていない場合（ステップＳ４１０：Ｎｏ）、撮像装置１はステップＳ４０１に戻る。一方、セカンドレリーズ信号が入力された場合（ステップＳ４１０：Ｙｅｓ）、撮像装置１は、実施の形態１で上述した撮像素子１１が出力する画像データを外部メモリ２７に取り込みを行う静止画撮像処理を実行する（ステップＳ４１１）。
【０１２５】
静止画撮像処理の後、制御部３１は、タイマー１９の値を初期化し（ステップＳ４１２）、制御部３１は、特殊効果撮影モードの終了操作が行われたか否かを判断する（ステップＳ４１３）。特殊効果撮影モードの終了操作が行われていない場合（ステップＳ４１３：Ｎｏ）、撮像装置１はステップＳ４０１に戻る。一方、特殊効果撮影モードの終了操作が行われた場合（ステップＳ４１３：Ｙｅｓ）、撮像装置１は本処理を終了する。
【０１２６】
ステップＳ４０２において、レンズ操作部４５のズーム操作部４５１が操作された場合（ステップＳ４０２：Ｙｅｓ）について説明する。この場合、制御部３１は、タイマー１９に値を設定させる（ステップＳ４１４）。
【０１２７】
続いて、制御部３１は、設定された特殊効果処理の第２特殊効果処理を画像処理部１４に実行させ（ステップＳ４１５）、撮像装置１はステップＳ４０６に移行する。
【０１２８】
以上説明した本実施の形態３によれば、レンズ操作部４５のズーム操作部４５１が操作された場合、制御部３１が画像処理部１４による特殊効果処理を第１特殊効果処理から第２特殊効果処理に切換えるので、画像処理部１４が特殊効果処理を行った画像データを所定の表示フレームレートで表示可能なライブビュー画像を表示部２５に表示させることができる。この結果、本実施の形態３では、上述した実施の形態１と同様に、特殊効果撮影モードで撮影を行う際に、被写体のシャッタチャンスを逃す可能性を低減することができるうえ、ＡＦ処理部１８による顔ＡＦやトラッキングＡＦを容易に行うことができる。さらに、表示部２５が表示する顔ＡＦ枠やトラッキングＡＦ枠を離散させることなく連続的に表示することがでるうえ、表示部２５が表示するライブビュー画像が滑らかになるため、動きのある被写体を追従しながら撮影の構図を容易に決定することができる。
【０１２９】
なお、本実施の形態３によれば、ズーム操作部４５１が操作された場合に、制御部３１が画像処理部１４による特殊効果処理を第１特殊効果処理から第２特殊効果処理に切換えていたが、フォーカス操作部４５２の操作によって画像処理部１４による特殊効果処理を第１特殊効果処理から第２特殊効果処理に切換えてもよい。さらに、レンズ操作部４５に限定されることなく、他のスイッチ、たとえば操作スイッチ２１４、メニュースイッチ２１５、動画スイッチ２１７、Ｆｎスイッチ、インフォメーションスイッチ、露出補正ボタン、ＡＥＬ／ＡＦＬスイッチ、プロテクトスイッチ、サブダイヤルスイッチ、ズームスイッチ、フォーカス移動スイッチ等の撮像装置１に設けられるスイッチ類に画像処理部１４の特殊効果処理の内容を変更する変更指示が入力される機能を持たせても良い。
【０１３０】
（その他の実施の形態）
上述した実施の形態１〜３では、外部通信部２８を介してパーソナルコンピュータやサーバ等の外部処理装置に接続することによって、制御部３１が外部通信部２８を介して受信した情報に基づいて撮影モード情報記憶部２６１、特殊効果処理情報記憶部２６２および特殊補助効果処理情報記憶部２６３に記憶された各種情報の更新または書き換えを行ってもよい。これにより、制御部３１は、新たに追加された撮影モード、特殊効果および特殊補助効果を組み合わせて撮影を行うことができる。さらに、外部メモリ２７に特殊効果処理情報や特殊補助効果処理情報を記憶させ、制御部３１が外部メモリ２７から取得して特殊効果処理情報記憶部２６２および特殊補助効果処理情報記憶部２６３が記憶する各種情報を更新または変更を行ってもよい。
【０１３１】
また、上述した実施の形態１〜３では、表示部２５が表示するライブビュー画像の表示フレームレートについて説明したが、たとえば本体部２に装着自在な外部電子ビューファインダにおいても本発明を適用することができる。
【０１３２】
また、上述した実施の形態１〜３では、表示部２５が表示するライブビュー画像の表示フレームレートについて説明したが、たとえば表示部２５とは別に電子ビューファインダを本体部２に設け、この電子ビューファインダにおいて本発明を適用するようにしてもよい。
【０１３３】
また、上述した実施の形態１〜３では、１つの画像処理部１４で構成していたが、たとえば２つの画像処理部で構成し、この２つの画像処理部による処理を切換えることで第１特殊効果処理または第２特殊効果処理を切換えるようにしてもよい。
【０１３４】
また、上述した実施の形態１〜３では、表示部２５の表示画面上にタッチパネルを重ねて設け、ユーザがタッチパネルをタッチした場合、制御部３１は画像処理部１４による特殊効果処理を第１特殊効果処理から第２特殊効果処理に切換えるようにしてもよい。
【０１３５】
また、上述した実施の形態１〜３では、レンズ部３が本体部２に着脱自在であったが、レンズ部３と本体部２とが一体的に形成されていれもよい。
【０１３６】
また、上述した実施の形態１〜３では、撮像装置１をデジタル一眼デジタルカメラとして説明していたが、たとえばレンズ部３と本体部２とが一体に形成されたデジタルカメラ、デジタルビデオカメラ、カメラ付き携帯電話等の撮影機能と表示機能を備えた各種電子機器に適用することができる。
【符号の説明】
【０１３７】
１            撮像装置
２            本体部
３            レンズ部
１０          シャッタ
１１          撮像素子
１２          Ａ／Ｄ変換部
１３          メモリ
１４          画像処理部
１５          撮像素子駆動部
１６          シャッタ駆動部
１７          露出処理部
１８          ＡＦ処理部
１９          タイマー
２０          本体通信部
２１          操作入力部
２２          フラッシュ発光部
２３          フラッシュ充電部
２４          フラッシュ駆動部
２５          表示部
２６          不揮発性メモリ
２７          外部メモリ
２８          外部通信部
２９          電源供給部
３０          電源部
３１          制御部
４１          光学系
４２          レンズ駆動部
４３          絞り
４４          絞り駆動部
４５          レンズ操作部
４６          レンズ通信部
４７          レンズ制御部
１４１        特殊効果処理部
１４２        特殊補助効果処理部
２１１        電源スイッチ
２１２        レリーズスイッチ
２１３        撮影モード切換スイッチ
２１４        操作スイッチ
２１５        メニュースイッチ
２１６        プレビュースイッチ
２１７        動画スイッチ
２６１        撮影モード情報記憶部
２６２        特殊効果処理情報記憶部
２６３        特殊補助効果処理情報記憶部
４５１        ズーム操作部
４５２        フォーカス操作部
【図１】
0005646960.tif 000002
【図２】
0005646960.tif 000003
【図３】
0005646960.tif 000004
【図４】
0005646960.tif 000005
【図５】
0005646960.tif 000006
【図６】
0005646960.tif 000007
【図７】
0005646960.tif 000008
【図８】
0005646960.tif 000009
【図９】
0005646960.tif 000010
【図１０】
0005646960.tif 000011
【図１１】
0005646960.tif 000012
【図１２】
0005646960.tif 000013
【図１３】
0005646960.tif 000014
【図１４】
0005646960.tif 000015
【図１５】
0005646960.tif 000016